(57)【要約】      （修正有）【課題】実装作業中のスクリーン付き電子装置の発光または他の機能を即時に検査することができるスクリーン付き電子装置の実装用載置具を提供する。【解決手段】スクリーンを下方に向かわせた状態で載置される工作板１１に、上下面を貫通する貫通孔１１２と、スクリーン付き電子装置２に電源から電力を供給させるための電源接続手段１１４とを設け、工作板１１の下方に、電子装置２の駆動により光を出力し、工作板１１の上面より貫通孔１１２を介して前記光を視認可能とする照射手段１２を設ける。【選択図】図２
0003121203.tif 000002
【実用新案登録請求の範囲】
【請求項１】
スクリーン付き電子装置がスクリーンを下方に向かわせた状態で載置される工作板に、
上下面を貫通する貫通孔と、
前記スクリーン付き電子装置に電源から電力を供給させるための電源接続手段とを設け、
前記工作板の下方に、前記電子装置の駆動により光を出力し、前記工作板の上面より前記貫通孔を介して前記光を視認可能とする照射手段を設けたことを特徴とするスクリーン付き電子装置の実装用載置具。
【請求項２】
前記照射手段は、前記スクリーン付き電子装置からの光を反射させ、前記貫通孔を介して工作板の上面より視認可能とする反射ミラーからなり、前記反射ミラーからの反射光に基づいて実装作業中のスクリーン付き電子装置の発光機能の適否を検出可能としたことを特徴とする請求項１に記載のスクリーン付き電子装置の実装用載置具。
【請求項３】
前記照射手段は、前記スクリーン付き電子装置からの光を検出する光センサからなり、前記光センサからの検出信号に基づいて電子シグナルを出力させて実装作業中のスクリーン付き電子装置の発光機能の適否を検出可能としたことを特徴とする請求項１に記載のスクリーン付き電子装置の実装用載置具。
【請求項４】
前記電源接続手段は、前記工作板の上面に設置され、実装作業中のスクリーン付き電子装置と電気接続される第１の電源コネクタと、電源からの供給電力を受け入れる第２の電源コネクタとからなることを特徴とする請求項１乃至３のいずれか１項に記載のスクリーン付き電子装置の実装用載置具。
【請求項５】
前記貫通孔に、更に透光性を有するレンズを嵌合することにより、前記貫通孔を介して前記スクリーンが汚染されることを防止するようにしたことを特徴とする請求項１乃至４のいずれか１項に記載のスクリーン付き電子装置の実装用載置具。
【請求項６】
前記工作板の下面に、補強リブを複数並設したことを特徴とする請求項１乃至５のいずれか１項に記載のスクリーン付き電子装置の実装用載置具。
【考案の詳細な説明】
【技術分野】
【０００１】
本考案は、スクリーン付き電子装置の実装用載置具、特に、実装作業中にスクリーン付き電子装置が適切に機能しているか否かを即時に検出できるスクリーン付き電子装置の実装用載置具に関する。
【背景技術】
【０００２】
近年、テレビなど家庭用のスクリーン付き電子装置は、画面の大型化への傾向があり、生産量が年々増加している。
【０００３】
従来、このようなスクリーン付き電子装置の実装作業は次のようにして行っている。すなわち、スクリーンを下向きにして搬送しながら、その内部すなわち背面（搬送状態での上面）にプリント配線基板や電子部品を取り付けたり、これらを電気接続したりするようにしている。
しかしながら、前記スクリーン付き電子装置の機能、特にスクリーンからの発光の適否を検査する場合、次のような問題点があった。
すなわち、実装作業中に検査を行う場合、スクリーンが下向きでは検査できないため、少なくともスクリーンが側方に向かうように装置を立てる必要がある。この場合、サイズの大きなスクリーンでは重量も大きいため、簡単には立てることができず、作業性が悪い。
【０００４】
また、実装作業の完了後に検査を行う場合、部品の取付や配線の不都合が検出されれば、再度、一連の作業、点検をし直さなければならず、やはり作業性が悪い。
【考案の開示】
【考案が解決しようとする課題】
【０００５】
本考案は、前記問題点に鑑みてなされたもので、実装作業中のスクリーン付き電子装置の発光または他の機能を即時に検査することができるスクリーン付き電子装置の実装用載置具を提供することを課題とする。
【課題を解決するための手段】
【０００６】
前記課題を解決するため、本考案は、スクリーン付き電子装置の実装用載置具を、スクリーン付き電子装置がスクリーンを下方に向かわせた状態で載置される工作板に、上下面を貫通する貫通孔と、前記スクリーン付き電子装置に電源から電力を供給させるための電源接続手段とを設け、前記工作板の下方に、前記電子装置の駆動により光を出力し、前記工作板の上面より前記貫通孔を介して前記光を視認可能とする照射手段を設けたものである。
【０００７】
前記照射手段は、前記スクリーン付き電子装置からの光を反射させ、前記貫通孔を介して工作板の上面より視認可能とする反射ミラーからなり、前記反射ミラーからの反射光に基づいて実装作業中のスクリーン付き電子装置の発光機能の適否を検出可能とすればよい。
また、前記照射手段は、前記スクリーン付き電子装置からの光を検出する光センサからなり、前記光センサからの検出信号に基づいて電子シグナルを出力させて実装作業中のスクリーン付き電子装置の発光機能の適否を検出可能としてもよい。
【０００８】
さらに、前記電源接続手段は、前記工作板の上面に設置され、実装作業中のスクリーン付き電子装置と電気接続される第１の電源コネクタと、電源からの供給電力を受け入れる第２の電源コネクタとから構成するのが好ましい。
【０００９】
さらにまた、前記貫通孔に、更に透光性を有するレンズを嵌合することにより、前記貫通孔を介して前記スクリーンが汚染されることを防止するのが好ましい。
【００１０】
なお、スクリーンを載置する工作板の構造を一層に強化するために、前記工作板の下面に、補強リブを複数並設するのが好ましい。
【考案の効果】
【００１１】
本考案によれば、電源接続手段によって実装作業中のスクリーン付き電子装置に電力供給し、反射ミラーまたは光センサにより、電子装置の機能、特に、スクリーンからの発光の適否を検査することができるので、即時に実装中の電子装置の不良点を発見し、補修または廃棄の即時措置を取ることができる。
【考案を実施するための最良の形態】
【００１２】
次に、本考案の実施形態を添付図面に従って説明する。
【００１３】
本実施形態に係るスクリーン付き電子装置の実装用載置具は、図１に示すように、上面で実装作業中のスクリーン付き電子装置２を、そのスクリーンが下方に向かうように載置可能な工作板を備えている。工作板１１には、上下に貫通する貫通孔１１２が形成されている。また、工作板１１には、実装作業中のスクリーン付き電子装置２に電力を供給するための電源接続手段１１４が設けられている。さらに、工作板１１の下方には、実装作業中に、スクリーン付き電子装置２のスクリーンからの光を、前記貫通孔１１２を介して検出可能とするための照射手段１２が設けられている。なお、実装作業では、図３に示すように、コンベア１１８により工作板１１をその上に載置したスクリーン付き電子装置２と共に搬送しながら行う。
【００１４】
照射手段１２としては、図１に示すように、反射ミラーが採用可能である。反射ミラーは、実装作業中のスクリーン付き電子装置２からの光を直接反射させることにより、スクリーンの発光機能の適否を検出可能とする。また、照射手段１２としては、光センサを採用することもできる。光センサは、実装作業中のスクリーン付き電子装置からの光を受光して電子シグナルに変換する。これにより、電子シグナルを見れば、実装作業中のスクリーン付き電子装置の発光機能の適否を検出することが可能となる。
【００１５】
電源接続手段１１４は、工作板１１の上面に設けられている。電源接続手段１１４は、実装作業中のスクリーン付き電子装置２と電気接続するための第１電源コネクタ１１４Ａと、第１電源コネクタ１１４Ａの近傍で、電源からの供給電力を受け入れる第２電源コネクタ１１４Ｂとで構成されている。
【００１６】
また、電源接続手段１１４と外部電源（図示せず）との間の電気接続には、従来同様、ケーブル（図示せず）を使用すればよい。ケーブルは実装装置またはその周囲に設けた外部電源と第２電源コネクタ１１４Ｂとに接続される。ケーブルを介して外部電源からの電力が第２電源コネクタ１１４Ｂに供給された後、工作板１１内に設置された配線を介して第１電源コネクタ１１４Ａに供給される。
【００１７】
さらに、前記工作板１１の下面には、音声、発光以外の信号を検出するためのコネクタ１１５を設けてもよい。このコネクタ１１５によれば、発光検査で必要とされる貫通孔１１２は不要となる。但し、発光検査と共に行うことができるように構成しても構わない。
【００１８】
なお、前記貫通孔１１２には、更に透明レンズ１１３を嵌合するのが好ましい。これによれば、貫通孔１１２を介して実装作業中のスクリーン付き電子装置２のスクリーンが汚染されることを確実に防止することが可能となる。
【００１９】
また、前記工作板１１の下面には、補強リブ１１６を複数平行に設けるようにしてもよい。これによれば、工作板１１の強度を高めることが可能となる。
【産業上の利用可能性】
【００２０】
前記構成によるスクリーン付き電子装置の実装用載置具は、実装作業中、電源接続手段を介してスクリーン付き電子装置に電力供給し、反射ミラーまたは光センサにより、電子装置の機能、特に、スクリーンからの発光の適否を検出できるので、即時に電子装置の不良点を発見し、即時に補修または廃棄の措置を取ることができる。
【図面の簡単な説明】
【００２１】
【図１】本考案に係るスクリーン付き電子装置の実装用載置具において、照射手段として反射ミラーを使用して目視検査を行っている状態を示す側面図である。
【図２】図１に示す工作板の分解斜視図である。
【図３】図１に示すスクリーン付き電子装置の実装用載置具の平面図である。
【符号の説明】
【００２２】
１…スクリーン付き電子装置の実装用載置具
２…スクリーン付き電子装置
１１…工作板
１２…照射手段
１１２…貫通孔
１１３…透明レンズ
１１４…電気接続手段
１１４Ａ…第１電源コネクタ
１１４Ｂ…第２電源コネクタ
１１５…コネクタ
１１６…補強リブ
【図１】
0003121203.tif 000003
【図２】
0003121203.tif 000004
【図３】
0003121203.tif 000005